(57)【要約】【課題】商品を購入しようとする客の利便性を向上させる情報読取装置を提供することである。【解決手段】実施形態によれば、情報読取装置は、収容室と、筐体と、蓋体と、第１のアンテナと、読取部とを備える。前記収容室は、ＲＦＩＤタグが付されている第１の商品を掛けて収容する。前記筐体は、前記収容室内へ前記第１の商品を入れるための開口部が形成されている縦長形状である。前記蓋体は、前記開口部を開閉する。前記第１のアンテナは、前記収容室内に電波を放射する。前記読取部は、前記第１のアンテナを介してＲＦＩＤタグから情報を読み取る。【選択図】図５
2017228138.tif 000002
【特許請求の範囲】
【請求項１】
ＲＦＩＤタグが付されている第１の商品を掛けて収容する収容室と、
前記収容室内へ前記第１の商品を入れるための開口部が形成されている縦長形状の筐体と、
前記開口部を開閉する蓋体と、
前記収容室内に電波を放射する第１のアンテナと、
前記第１のアンテナを介してＲＦＩＤタグから情報を読み取る読取部と、
を備える情報読取装置。
【請求項２】
前記収容室内に、ハンガー付きの前記第１の商品を掛けるための部材を備える請求項１の情報読取装置。
【請求項３】
前記収容室内に、ＲＦＩＤタグが付されている第２の商品が収容されたかごを置く台を備える請求項１又は２の情報読取装置。
【請求項４】
前記収容室内に電波を放射する第２のアンテナを備え、
前記第１のアンテナを前記収容室の背面に設け、前記第２のアンテナを前記収容室の底面に設ける請求項１乃至３の何れかに記載の情報読取装置。
【請求項５】
請求項１乃至４の何れかの情報読取装置と、
前記読取部により読み取られた情報に基づき決済処理を実行する決済処理部と、
を備えるＰＯＳシステム。
【発明の詳細な説明】
【技術分野】
【０００１】
本発明の実施形態は、情報読取装置及びこれを備えるＰＯＳ(Point Of Sales)システムに関する。
【背景技術】
【０００２】
客自身の操作に基づいて商品の決済処理を行うＰＯＳ装置（商品販売データ処理装置、チェックアウト装置、レジ装置ともいう）が存在する。このようなＰＯＳ装置には、各商品に付されているＲＦＩＤ（Radio  Frequency  Identifier）タグ（ＲＦＩＤチップともいう）から商品情報を一括で読み取るＲＦＩＤアンテナを備える読取装置が搭載されている。
【０００３】
客がＰＯＳ装置を用いて商品を購入する際の流れの一例を説明する。（１）客は、読取装置の扉を開けて、ＲＦＩＤタグが付されている商品を読取装置内に入れる。（２）客は読取装置の扉を閉め、ＰＯＳ装置による読取処理の開始を入力する。（３）客は、ＰＯＳ装置で読み取られた商品情報（品名、値段、数量など）を画面上で確認する。（４）客は、画面上で商品情報を確認した後に、決済方法（現金、クレジットカード、電子マネーなど）を選択する。客は、ＰＯＳ装置による決済処理の開始を入力する。（５）客は、商品の決済処理が終了したことを示す決済終了情報をＰＯＳ装置が全てのＲＦＩＤタグに書き込むまで待つ。（６）客は、ＰＯＳ装置による決済終了情報の書込処理が終了した後に、読取装置から商品を取り出し、袋詰め等をする。
【先行技術文献】
【特許文献】
【０００４】
【特許文献１】特開２００７−２６４９１８号公報
【発明の概要】
【発明が解決しようとする課題】
【０００５】
ＲＦＩＤタグが付された商品には、アクセサリーのような小物から、ハンガーに掛けられた上着のような大きなサイズのものが想定される。例えば、読取装置に相当する収納ケースは、買い物かごのサイズを想定した収納部寸法で構成される。しかし、衣類等の大型商品は買い物かごに収まらず、かごからはみ出した商品の一部によってケース内に収納できないことが想定される。また、ハンガー掛けで販売される商品をそのままＰＯＳ端末に持ち込むと、折りたたむ必要性が発生することも想定される。
【０００６】
本発明の実施形態が解決しようとする課題は、商品を購入しようとする客の利便性を向上させる情報読取装置及びＰＯＳシステムを提供することである。
【課題を解決するための手段】
【０００７】
実施形態によれば、情報読取装置は、収容室と、筐体と、蓋体と、第１のアンテナと、読取部とを備える。前記収容室は、ＲＦＩＤタグが付されている第１の商品を掛けて収容する。前記筐体は、前記収容室内へ前記第１の商品を入れるための開口部が形成されている縦長形状である。前記蓋体は、前記開口部を開閉する。前記第１のアンテナは、前記収容室内に電波を放射する。前記読取部は、前記第１のアンテナを介してＲＦＩＤタグから情報を読み取る。
【図面の簡単な説明】
【０００８】
【図１】本実施形態に係る一例となるＰＯＳ装置の外観図（第１、第２の読取装置の蓋が閉じた状態）。
【図２】本実施形態に係る一例となるＰＯＳ装置の外観図（第２の読取装置の蓋が開いた状態）。
【図３】本実施形態に係る第１の読取装置の外観図。
【図４】本実施形態に係る第１の読取装置の断面図。
【図５】本実施形態に係る第２の読取装置の外観図。
【図６】本実施形態に係る第２の読取装置の第１例の断面図。
【図７】本実施形態に係る第２の読取装置の第２例の断面図。
【図８】本実施形態に係る第２の読取装置の第３例の断面図。
【図９】本実施形態に係る第２の読取装置の第４例の断面図。
【図１０】本実施形態に係る第２の読取装置の第５例の断面図。
【図１１】本実施形態に係る第２の読取装置の第６例の断面図。
【図１２】本実施形態に係るＰＯＳ装置のブロック図。
【図１３】本実施形態に係る管理システムのブロック図。
【図１４】本実施形態に係るＰＯＳ装置による処理のフローチャート。
【発明を実施するための形態】
【０００９】
以下、いくつかの実施の形態について、図面を参照して説明する。  
図１は、本実施形態に係る一例となるＰＯＳ装置１の外観図（二つの読取装置の蓋が閉じた状態）である。図２は、本実施形態に係る一例となるＰＯＳ装置１の外観図（縦長形状の読取装置の蓋が開いた状態）である。本実施形態で説明するＰＯＳ装置１は、例えば、客自身の操作に基づいて少なくとも決済（会計）処理を行うための装置である。決済処理とは、客自身によるＰＯＳ装置１の操作に基づいて、客が購入しようとする商品の代金を決済する処理である。本実施形態では、商品（対象物ともいう）は、ＲＦＩＤタグが付されているものとする。ＲＦＩＤタグは、これが付されている商品の価格（値段）情報を記憶している。ＲＦＩＤタグは、これを識別するための識別情報（シリアルコードともいう）を記憶していることもある。なお、ＲＦＩＤタグは、価格情報や識別情報以外の品名情報などを記憶していてもよい。
【００１０】
ＰＯＳ装置１は、第１の情報読取装置（以下、第１の読取装置）１０１と縦長形状の第２の情報読取装置（以下、第２の読取装置）２０１、カード挿入口１０２、レシート発行口１０３、紙幣入出口１０４、硬貨投入口１０５、硬貨取出口１０６、表示部１０７及び第１の検出部１０８を備えている。例えば、第１の読取装置１０１と第２の読取装置２０１は、並べて配置されており、一方だけを使用することもできるし、両方を使用することもできる。なお、ＰＯＳ装置１においてこれらが設けられている位置をＰＯＳ装置１の正面という。
【００１１】
第１の読取装置１０１は、ＰＯＳ装置１の下段に配置されている。第１の読取装置１０１は、客が購入しようとする商品をそのまま、または、商品が入れられたカゴごと収容可能である。第１の読取装置１０１の形状及び第１の読取装置１０１が備えている要素については後述する。第１の読取装置１０１は、各商品に付されている各ＲＦＩＤタグから、各ＲＦＩＤタグに記憶されている各種情報を一括で読み取る。例えば、第１の読取装置１０１は、各商品に付されている各ＲＦＩＤタグから価格情報を一括で読み取る。例えば、第１の読取装置１０１は、各商品に付されている各ＲＦＩＤタグから識別情報を一括で読み取る。
【００１２】
カード挿入口１０２は、決済処理時に客がクレジットカードを挿入するためのユニットである。  
レシート発行口１０３は、決済処理時にレシートを発行するユニットである。  
紙幣入出口１０４は、決済処理時に客が紙幣を入れるユニットである。紙幣入出口１０４は、決済処理時に紙幣を排出されるユニットでもある。  
硬貨投入口１０５は、決済処理時に客が硬貨を投入するためのユニットである。
【００１３】
硬貨取出口１０６は、決済処理時にＰＯＳ装置１から返却される硬貨を客が受け取るためのユニットである。  
表示部１０７は、ＰＯＳ装置１の上段に配置されている。表示部１０７は、決済処理時に各種情報を表示する。例えば、表示部１０７は、液晶ディスプレイである。
【００１４】
また、第２の読取装置２０１は、第１の読取装置１０１に比べて、縦長形状の筐体（収容室）で構成されている。第２の読取装置２０１は、客が購入しようとする商品（衣類等のハンガー付き商品）をハンガーに掛けた状態で収容可能であり、且つ商品が入れられたカゴも収容可能である。なお、実質的には、第２の読取装置２０１は、縦長形状の筐体でなくても、大型の商品をハンガーに掛けた状態で収容可能な筐体で構成されていればよい。第２の読取装置２０１の形状及び第２の読取装置２０１が備えている要素については後述する。第２の読取装置２０１は、各商品に付されている各ＲＦＩＤタグから、各ＲＦＩＤタグに記憶されている各種情報を一括で読み取る。例えば、第２の読取装置２０１は、各商品に付されている各ＲＦＩＤタグから価格情報を一括で読み取る。例えば、第２の読取装置２０１は、各商品に付されている各ＲＦＩＤタグから識別情報を一括で読み取る。
【００１５】
次に、第１の読取装置１０１の構成について説明する。図３は、一例となる第１の読取装置１０１の外観図である。  
第１の読取装置１０１は、載置台１０１１、筐体１０１２、蓋体１０１３及び検出部１０１４を備えている。
【００１６】
載置台１０１１は、載置面１０１１ａが形成されている板状部材である。載置面１０１１ａは、ＲＦＩＤタグが付されている商品をそのまま、または、商品が入れられたカゴ、ケース、又は箱などを載置する。載置面１０１１ａは、水平面である。載置台１０１１は、電波透過性を有する材料で構成されている。例えば、載置台１０１１は、絶縁体である。載置台１０１１は、木材やガラス材等で構成されている。載置台１０１１がこのような材料で構成されている理由は、ＲＦＩＤに対して読み書きするための電波を透過させるためである。
【００１７】
筐体１０１２は、第１の読取装置１０１の外装である。筐体１０１２は、その内部に商品を収容する収容室１０１２ａを備えている。収容室１０１２ａは、商品をそのまま、または、商品が入れられたカゴごと収容可能な大きさで構成されている。収容室１０１２ａは、複数の面で形成されている。収容室１０１２ａ内の空間は、複数の面によって第１の読取装置１０１外と分離されている。例えば、収容室１０１２ａは、６面で構成されている箱型形状である。なお、収容室１０１２ａを形成する面の数はこれに限定されない。筐体１０１２は、その内部に載置台１０１１を収容する。載置面１０１１ａは、収容室１０１２ａを形成する複数の面に含まれる。
【００１８】
筐体１０１２は、第１の内面１０１２ｂ及び開口部１０１２ｃを備えている。  
第１の内面１０１２ｂは、複数の面を含む。第１の内面１０１２ｂは、収容室１０１２ａを形成する複数の面に含まれる。
【００１９】
開口部１０１２ｃは、収容室１０１２ａ内へ商品を入れるために筐体１０１２に形成されている。開口部１０１２ｃは、収容室１０１２ａ内へとつながる。開口部１０１２ｃは、カゴを出し入れ可能な大きさで筐体１０１２に形成されている。開口部１０１２ｃは、筐体１０１２を構成する略鉛直方向に延びる面に形成されている。なお、開口部１０１２ｃは、筐体１０１２の何れの位置に形成されていてもよい。
【００２０】
蓋体１０１３は、開口部１０１２ｃを開閉する。蓋体１０１３は、一端側に設けられている鉛直方向に沿った回転軸を中心に回動する。蓋体１０１３が開口部１０１２ｃを開けている状態（以下、開状態という）にある場合、客は、開口部１０１２ｃから収容室１０１２ａ内へ商品を入れることができる。蓋体１０１３は、第２の内面１０１３ａを備えている。蓋体１０１３が開口部１０１２ｃを閉じている状態（以下、閉状態という）にある場合、第２の内面１０１３ａは、収容室１０１２ａを形成する複数の面に含まれる。
【００２１】
上述のように、収容室１０１２ａは、載置面１０１１ａ、第１の内面１０１２ｂ及び第２の内面１０１３ａで形成されている。
【００２２】
筐体１０１２及び蓋体１０１３は、電波を反射する材料（以下、電波反射材料という）又は電波を吸収する材料（以下、電波吸収材料という）で構成されている。例えば、筐体１０１２及び蓋体１０１３は金属である。電波反射材または電波吸収材は、外部の電波が収容室１０１２ａ内に届くことを防ぐ。加えて、電波反射材または電波吸収材は、第１の読取装置１０１内で発生した電波が第１の読取装置１０１外へ漏れることを防ぐ。これにより、第１の読取装置１０１は、外部からの電波を読み取ることはない。さらに、第１の読取装置１０１は、外部のＲＦＩＤタグから情報を読み取ることもない。
【００２３】
検出部１０１４は、蓋体１０１３が閉状態にある場合における筐体１０１２と蓋体１０１３との勘合面にある。なお、検出部１０１４の位置はこれに限定されない。検出部１０１４は、蓋体１０１３の閉状態または開状態を検出（検知）する。検出部１０１４は、任意の手法を利用したセンサである。検出部１０１４による検出手法は例えば赤外線センサなどを用いる手法があるが、これ以外手法であってもよく特に限定されない。
【００２４】
次に、第２の読取装置２０１の構成について説明する。図５は、一例となる第２の読取装置２０１の外観図である。  
第２の読取装置２０１は、読取装置内連接棒（以下、部材）２０１０、載置台２０１１、筐体２０１２、背面板２０１７、蓋体２０１３及び検出部２０１４を備えている。
【００２５】
第２の読取装置２０１内の上方には、棒状の部材２０１０が設けられ、部材２０１０はハンガー等が掛けられるように構成されている。即ち、ＲＦＩＤタグが付されている商品（ハンガー付き商品）を部材２０１０に掛けることができる。部材２０１０は、金属製部材である。或いは、部材２０１０は、絶縁体であり、木材やガラス材等で構成されてもよい。部材２０１０をこのような絶縁体で構成する理由は、ＲＦＩＤに対して読み書きするための電波を透過させるためである。
【００２６】
載置台２０１１は、載置面２０１１ａが形成されている板状部材である。載置面２０１１ａは、ＲＦＩＤタグが付されている商品をそのまま、または、商品が入れられたカゴ、ケース、又は箱などを載置する。載置面２０１１ａは、水平面である。載置台２０１１は、電波透過性を有する材料で構成されている。例えば、載置台２０１１は、絶縁体である。載置台２０１１は、木材やガラス材等で構成されている。載置台２０１１がこのような材料で構成されている理由は、ＲＦＩＤに対して読み書きするための電波を透過させるためである。
【００２７】
筐体２０１２は、第２の読取装置２０１の外装である。筐体２０１２は、その内部に商品を収容する収容室２０１２ａを備えている。収容室２０１２ａは、商品（ハンガー付き商品）をハンガーに掛けた状態で収容可能であり、且つ商品が入れられたカゴも収容可能な大きさで構成されている。例えば、ハンガーに掛けられる商品としてコート等を想定し、収容室２０１２ａのサイズを、高さ１００ｃｍ〜２００ｃｍ、幅３０ｃｍ〜１２０ｃｍ、奥行き４０〜７０ｃｍとしてもよい。収容室２０１２ａは、複数の面で形成されている。収容室２０１２ａ内の空間は、複数の面によって第２の読取装置２０１と分離されている。例えば、収容室２０１２ａは、６面で構成されている箱型形状である。なお、収容室２０１２ａを形成する面の数はこれに限定されない。筐体２０１２は、その内部に、ＲＦＩＤタグが付された商品が収容されたカゴを載置する載置台２０１１を備える。載置面２０１１ａは、収容室２０１２ａを形成する複数の面に含まれる。
【００２８】
筐体２０１２は、第１の内面２０１２ｂ及び開口部２０１２ｃを備えている。  
第１の内面２０１２ｂは、複数の面を含む。第１の内面２０１２ｂは、収容室２０１２ａを形成する複数の面に含まれる。
【００２９】
開口部２０１２ｃは、収容室２０１２ａ内へ商品を入れるために筐体２０１２に形成されている。開口部２０１２ｃは、収容室２０１２ａ内へとつながる。開口部２０１２ｃは、ハンガー付き商品をそのままの状態で出し入れ可能、且つカゴも出し入れ可能な大きさで筐体２０１２に形成されている。開口部２０１２ｃは、筐体１０１２を構成する略鉛直方向に延びる面に形成されている。なお、開口部２０１２ｃは、筐体２０１２の何れの位置に形成されていてもよい。
【００３０】
蓋体２０１３は、開口部２０１２ｃを開閉する。蓋体２０１３は、一端側に設けられている鉛直方向に沿った回転軸を中心に回動する。蓋体２０１３が開口部２０１２ｃを開けている状態（以下、開状態という）にある場合、客は、開口部２０１２ｃから収容室２０１２ａ内へ商品を入れることができる。蓋体２０１３は、第２の内面２０１３ａを備えている。蓋体２０１３が開口部２０１２ｃを閉じている状態（以下、閉状態という）にある場合、第２の内面２０１３ａは、収容室２０１２ａを形成する複数の面に含まれる。
【００３１】
上述のように、収容室２０１２ａは、載置面２０１１ａ、第１の内面２０１２ｂ及び第２の内面２０１３ａで形成されている。
【００３２】
筐体２０１２及び蓋体２０１３は、電波反射材料又は電波吸収材料で構成されている。例えば、筐体２０１２及び蓋体２０１３は金属である。電波反射材または電波吸収材は、外部の電波が収容室２０１２ａ内に届くことを防ぐ。加えて、電波反射材または電波吸収材は、第２の読取装置２０１内で発生した電波が第２の読取装置２０１外へ漏れることを防ぐ。これにより、第２の読取装置２０１は、外部からの電波を読み取ることはない。さらに、第２の読取装置２０１は、外部のＲＦＩＤタグから情報を読み取ることもない。
【００３３】
検出部２０１４は、蓋体２０１３が閉状態にある場合における筐体２０１２と蓋体２０１３との勘合面にある。なお、検出部２０１４の位置はこれに限定されない。検出部２０１４は、蓋体２０１３の閉状態または開状態を検出（検知）する。検出部２０１４は、任意の手法を利用したセンサである。検出部２０１４による検出手法は例えば赤外線センサなどを用いる手法があるが、これ以外手法であってもよく特に限定されない。
【００３４】
図６〜図９は、図５における第２の読取装置２０１のＹ−Ｙ断面図である。また、図１０〜図１１は、図５における第２の読取装置２０１のＺ−Ｚ断面図である。蓋体２０１３は閉状態にある。収容室２０１２ａは、複数の商品３０１（ハンガー付きの商品３０１）を部材２０１０へ掛けて収容することができる。各商品３０１は、それぞれＲＦＩＤタグ３０３が付されている。さらに、収容室２０１２ａは、複数の商品３０１が入れられたカゴ３０２を収容することができる。各商品３０１は、それぞれＲＦＩＤタグ３０３が付されている。
【００３５】
載置台２０１１は、載置面２０１１ａと対向する面２０１１ｂを備えている。筐体２０１２内には、載置台２０１１の面２０１１ｂと筐体２０１２の第１の内面２０１２ｂと背面板２０１７の面２０１７ｂにより形成されている空間がある。筐体２０１２内のこの空間は、載置台２０１１と背面板２０１７を挟んで収容室２０１２ａと区分されている。
【００３６】
図６は、第２の読取装置２０１のアンテナ２０１５の設置の第１例を示す図である。図６に示すように、第２の読取装置２０１は、アンテナ２０１５を備えている。アンテナ２０１５は、面状のＲＦＩＤアンテナである。アンテナ２０１５は、電力が供給されることにより、ＵＨＦ帯等の電波を放射（出射ともいう）する。アンテナ２０１５は、収容室２０１２ａ内に向けて電波を放射する。
【００３７】
アンテナ２０１５は、収容室２０１２ａの底面に設置され、例えば、載置台２０１１において載置面２０１１ａと対向する面２０１１ｂ側にある。アンテナ２０１５は、載置面２０１１ａと直交する方向において、載置面２０１１ａよりも収容室２０１２ａから離れた位置にある。アンテナ２０１５は、収容室２０１２ａ内に向けて電波を放射する。上述したように載置台２０１１は電波透過性を有する材料で構成されている。このため、アンテナ２０１５が放射する電波は、載置台２０１１を透過し、収容室２０１２ａ内に収容されている各商品３０１に付されている各ＲＦＩＤタグ３０３に届く。なお、第２の読取装置２０１は、アンテナ２０１５の位置を移動させる駆動機構を備えていてもよい。第２の読取装置２０１は、２つ以上のアンテナを備えていてもよい。
【００３８】
図７は、第２の読取装置２０１のアンテナ２０１５の設置の第２例を示す図である。図７に示すように、第２の読取装置２０１は、収容室２０１２ａの底面に設置されたアンテナ２０１５、例えば載置台２０１１の面２０１１ｂにアンテナ２０１５を備え、さらに、収容室２０１２ａの背面に設置されたアンテナ２０１５、例えば背面板２０１７の面２０１７ｂにもアンテナ２０１５を備えている。例えば、載置台２０１１の面２０１１ｂに取り付けられるアンテナ２０１５は、主に、載置台２０１１に載置されるカゴ等に収容される商品のＲＦＩＤタグ３０３と通信し、背面板２０１７の面２０１７ｂに取り付けられるアンテナ２０１５は、主に、部材２０１０に掛けられるハンガー付き商品のＲＦＩＤタグ３０３と通信する。そのため、背面板２０１７は、電波透過性を有する材料で構成されている。例えば、背面板２０１７は、絶縁体である。背面板２０１７は、木材等で構成されている。また、部材２０１０が金属等で構成されることを考慮し、背面板２０１７の面２０１７ｂに取り付けられるアンテナ２０１５は、部材２０１０から所定長Ｌ１離れた位置に設けられている。この所定長Ｌ１は、部材２０１０にハンガー付き商品を掛けた際における、部材２０１０と商品のＲＦＩＤタグ３０３との距離に相当する。なお、所定長Ｌ１を考慮し、商品の所定位置にＲＦＩＤタグ３０３が取り付けられる。なお、第２の読取装置２０１は、載置台２０１１の面２０１１ｂに取り付けられるアンテナ２０１５、及び背面板２０１７の面２０１７ｂに取り付けられるアンテナ２０１５の位置を移動させる駆動機構を備えていてもよい。また、第２の読取装置２０１は、載置台２０１１の面２０１１ｂに取り付けられるアンテナ２０１５を複数備えてもよいし、背面板２０１７の面２０１７ｂに取り付けられるアンテナ２０１５を複数備えてもよい。
【００３９】
図８は、第２の読取装置２０１のアンテナ２０１５の設置の第３例を示す図である。図８に示すように、第２の読取装置２０１は、収容室２０１２ａの底面に設置されたアンテナ２０１５、例えば載置台２０１１の面２０１１ｂにアンテナ２０１５を備え、さらに、収容室２０１２ａの背面に設置されたアンテナ２０１５、例えば背面板２０１７の面２０１７ｂにもアンテナ２０１５を備えている。例えば、載置台２０１１の面２０１１ｂに取り付けられるアンテナ２０１５は、主に、載置台２０１１に載置されるカゴ等に収容される商品のＲＦＩＤタグ３０３と通信し、背面板２０１７の面２０１７ｂに取り付けられるアンテナ２０１５は、主に、部材２０１０に掛けられるハンガー付き商品のＲＦＩＤタグ３０３と通信する。そのため、背面板２０１７は、電波透過性を有する材料で構成されている。例えば、背面板２０１７は、絶縁体である。背面板２０１７は、木材等で構成されている。また、部材２０１０も、絶縁体で構成されている。背面板２０１７の面２０１７ｂに取り付けられるアンテナ２０１５は、部材２０１０から所定長Ｌ２（Ｌ２＜Ｌ１）離れた位置に設けられている。この所定長Ｌ２は、部材２０１０にハンガー付き商品を掛けた際における、部材２０１０と商品のＲＦＩＤタグ３０３との距離に相当する。部材２０１０を絶縁体で構成することにより、部材２０１０の近傍にＲＦＩＤタグ３０３が位置してもよく、このため、商品に対するＲＦＩＤタグの取り付け位置の自由度が増す。なお、第２の読取装置２０１は、載置台２０１１の面２０１１ｂに取り付けられるアンテナ２０１５、及び背面板２０１７の面２０１７ｂに取り付けられるアンテナ２０１５の位置を移動させる駆動機構を備えていてもよい。また、第２の読取装置２０１は、載置台２０１１の面２０１１ｂに取り付けられるアンテナ２０１５を複数備えてもよいし、背面板２０１７の面２０１７ｂに取り付けられるアンテナ２０１５を複数備えてもよい。
【００４０】
図９は、第２の読取装置２０１のアンテナ２０１５の設置の第４例を示す図である。図９に示すように、第２の読取装置２０１は、収容室２０１２ａの底面に設置されたアンテナ２０１５、例えば載置台２０１１の面２０１１ｂにアンテナ２０１５を備え、さらに、収容室２０１２ａの背面に設置されたアンテナ２０１５、例えば背面板２０１７の面２０１７ｂにも複数のアンテナ２０１５を備えている。その他は、図８に示す第３例と同じであり、説明を省略する。
【００４１】
図１０は、第２の読取装置２０１のアンテナ２０１５の設置の第５例を示す図である。図１０に示すように、第２の読取装置２０１は、筐体２０１２の側面（左右）にアンテナ２０１５を備えるようにしてもよい。この場合、部材２０１０に掛けられたハンガー付き商品に取り付けられたＲＦＩＤタグ２０３の面とアンテナ２０１５の面とが平行になる。このため、アンテナ２０１５からの電波がＲＦＩＤタグ２０３で受信し易くなり、また、ＲＦＩＤタグ２０３からの電波がアンテナ２０１５で受信し易くなる。この場合、アンテナ２０１５が取り付けられる側面部材は、電波透過性を有する材料で構成される。また、図６〜図９に示すように、載置台２０１１の載置面２０１１ａにアンテナ２０１５を取り付けてもよい。
【００４２】
図１１は、第２の読取装置２０１のアンテナ２０１５の設置の第６例を示す図である。図１１に示すように、第２の読取装置２０１は、筐体２０１２の側面（左右）にアンテナ２０１５を備え、且つ背面（背面板２０１７の面２０１７ｂ）にもアンテナ２０１５を備えるようにしてもよい。この場合、部材２０１０に掛けられたハンガー付き商品に取り付けられたＲＦＩＤタグ２０３の面とアンテナ２０１５の面とが平行になる。このため、アンテナ２０１５からの電波がＲＦＩＤタグ２０３で受信し易くなり、また、ＲＦＩＤタグ２０３からの電波がアンテナ２０１５で受信し易くなる。また、ハンガー付き商品同士がぶつかり、向きがずれたＲＦＩＤタグ２０３が存在したとしても、背面にもアンテナ２０１５が設けられているので、アンテナ２０１５とＲＦＩＤタグ２０３との間で、電波を良好に送受信することができる。この場合、アンテナ２０１５が取り付けられる側面部材は、電波透過性を有する材料で構成される。また、図６〜図９に示すように、載置台２０１１の載置面２０１１ａにアンテナ２０１５を取り付けてもよい。
【００４３】
以上説明したように、第２の読取装置２０１によれば、冬物の大型商品（ハンガー付き商品）が買い物かごに納まりきらず、買い物かごから商品の一部がはみ出し、第２の読取装置２０１に収納し難くなるようなケースでも、商品を掛けることにより、スマートに商品を収納することができ、掛けられた各商品のＲＦＩＤタグを一括して読み取ることができる。また、ハンガーに掛けた状態のままで商品を収納することができるので、商品にしわを付けたりせず、スマートに商品を収納することができる。さらに、商品を掛けて収納するとともに、同時に買い物かごも収納することができるので、大型商品及び小物のＲＦＩＤタグを一括して読み取ることができ、スムーズな決済処理を提供することができる。
【００４４】
図１２は、一例となるＰＯＳ装置１の制御系の構成を示すブロック図である。ＰＯＳ装置１は、上述の要素のほかに、制御部１１、記憶部１２、入力部１３、カード読取部１４、硬貨投入処理部１５、紙幣入出処理部１６、硬貨排出処理部１７、プリンタ１８、通信部１９及びリーダライタ１０１６を備えている。
【００４５】
制御部１１は、ＰＯＳ装置１の各部に接続されている。制御部１１は、各部の動作を制御する。例えば、制御部１１は、ＣＰＵ（Central  Processing  Unit）である。  
記憶部１２は、制御部１１が実行するプログラムを記憶するＲＯＭ (Read Only Memory)を含むことができる。記憶部１２は、制御部１１がプログラムを実行する際に一時的にデータを記憶するＲＡＭ (Random Access Memory)を含むこともできる。記憶部１２は、各種データを記憶するＨＤＤ (Hard Disk Drive)を含むこともできる。
【００４６】
入力部１３は、ＰＯＳ装置１を利用する客が各種情報を入力可能または選択可能な要素である。例えば、入力部１３は、表示部１０７と一体のタッチパネルである。  
カード読取部１４は、カード挿入口１０２で挿入されたクレジットカードから情報を読み取る。
【００４７】
硬貨投入処理部１５は、決済処理時に客が硬貨投入口１０５に投入した硬貨の額を計算処理する。  
紙幣入出処理部１６は、決済処理時に客が紙幣入出口１０４に入金した紙幣の額を計算処理する。紙幣入出処理部１６は、決済処理時に釣りとして返却する紙幣の排出を処理する。  
硬貨排出処理部１７は、決済処理時に釣りとして返却する硬貨の硬貨取出口１０６への排出を処理する。
【００４８】
プリンタ１８は、決済処理時にレシートを発行し、レシート発行口１０３からのレシートの排出を処理する。  
通信部１９は、ＰＯＳ装置１に有線又は無線で接続されている外部装置とデータを通信する。通信部１９は、送信部１９ａ及び受信部１９ｂを備えている。送信部１９ａは、外部装置へデータを送信する。例えば、送信部１９ａは、ＰＯＳ装置１による決済処理が済んだ商品に付されているＲＦＩＤに記憶されている識別情報を外部装置へ送信する。受信部１９ｂは、外部装置からデータを受信する。
【００４９】
リーダライタ１０１６は第１の読取装置１０１内にある。リーダライタ１０１６は、アンテナ１０１５、２０１５に電力を供給する。リーダライタ１０１６は、ＲＦＩＤタグ２０３に記憶されている情報を読み取るための電波をアンテナ１０１５、２０１５から放射させる。リーダライタ１０１６は、アンテナ１０１５、２０１５で受けるＲＦＩＤタグ２０３からの電波によって伝達される信号（以下、受信信号という）に含まれている情報を読み取る。このようにして、リーダライタ（読取部）１０１６は、アンテナ１０１５、２０１５を介して、ＲＦＩＤタグ２０３から情報を読み取る。リーダライタ１０１６は、受信信号から読み取った情報を制御部１１へ送信する。
【００５０】
次に、ＰＯＳ装置１を含む管理システムの一例を説明する。図１３は、一例となる管理システムのブロック図である。管理システムは、ＰＯＳ装置１、及びホストコンピュータ３を備えている。なお、管理システムは、ＰＯＳ装置１と同様の複数のＰＯＳ装置を含んでいてもよい。
【００５１】
ＰＯＳ装置１の構成は上述のとおりである。図１３を用いてＰＯＳ装置１における制御部１１の主な機能を説明する。ＰＯＳ装置１の制御部１１は、読取制御部１１１及び決済処理部１１２を備えている。
【００５２】
読取制御部１１１は、リーダライタ１０１６を用いて収容室１０１２ａ、２０１２ａ内のＲＦＩＤタグから情報を読み取る読取処理を制御する。例えば、読取制御部１１１は、価格情報及び識別情報を読み取るように制御する。読取制御部１１１は、ＲＦＩＤタグから価格情報及び識別情報以外の情報を読み取るように制御してもよい。
【００５３】
決済処理部１１２は、リーダライタ１０１６で読み取られた価格情報に基づいて決済処理を行う。例えば、決済処理部１１２は、カード読取部１４を用いて客がカード挿入口１０２へ挿入したクレジットカードを処理する。または、決済処理部１１２は、硬貨投入処理部１５及び紙幣入出処理部１６を用いて紙幣入出口１０４及び硬貨投入口１０５へ投入された現金を処理する。次に、決済処理部１１２は、リーダライタ１０１６で読み取られた価格情報に基づいて、クレジットカードまたは現金による商品の決済処理を行う。なお、決済処理部１１２は、電子マネーによる商品の決済処理を行ってもよい。次に、決済処理部１１２は、クレジットカードをカード挿入口１０２から返却する。または、決済処理部１１２は、紙幣入出処理部１６を用いて釣りとして返却する紙幣を紙幣入出口１０４から排出する。または、決済処理部１１２は、硬貨排出処理部１７を用いて釣りとして返却する硬貨を硬貨取出口１０６へ排出する。
【００５４】
ホストコンピュータ３は、ＰＯＳ装置１で決済処理された商品の情報を管理（認識）する装置である。ホストコンピュータ３は、制御部３１、記憶部３２及び通信部３３を備えている。
【００５５】
制御部３１は、ホストコンピュータ３の各部に接続されている。制御部３１は、各部の動作を制御する。例えば、制御部３１は、ＣＰＵである。  
記憶部３２は、制御部３１が実行するプログラムを記憶するＲＯＭを含むことができる。記憶部３２は、制御部３１がプログラムを実行する際に一時的にデータを記憶するＲＡＭを含むこともできる。記憶部３２は、各種データを記憶するＨＤＤを含むこともできる。記憶部３２は、店舗内にある全ての商品に付されているＲＦＩＤタグの識別情報を記憶する。さらに、記憶部３２は、ＰＯＳ装置１による決済処理が済んだ商品に対応する識別情報を示す処理済識別情報を記憶する。記憶部３２は、ＰＯＳ装置１から送信される識別情報を処理済識別情報として記憶する。記憶部３２は、複数の商品に対応する複数の処理済識別情報を記憶する。記憶部３２による処理済識別情報の管理手法は、特に限定されない。
【００５６】
通信部３３は、ホストコンピュータ３に有線又は無線で接続されている外部装置とデータを通信する。通信部３３は、送信部３３ａ及び受信部３３ｂを備えている。送信部３３ａは、外部装置へデータを送信する。
【００５７】
次に、客が商品を購入する際のＰＯＳ装置１による処理を説明する。図１４は、ＰＯＳ装置１による処理の一例となるフローチャートである。
【００５８】
制御部１１は、検出部１０１４、２０１４による検出結果に基づいて、蓋体１０１３、２０１３が閉状態か否かを判断する（Ａｃｔ１００１）。例えば、蓋体１０１３、２０１３が閉状態になる時は、客が商品を収容室１０１２ａに入れて、蓋体１０１３を閉めた時である。
【００５９】
蓋体１０１３、２０１３が閉状態にない場合（Ａｃｔ１００１、Ｎｏ）、制御部１１は、蓋体１０１３、２０１３が閉状態になるまで検出を継続する。蓋体１０１３、２０１３が閉状態にある場合（Ａｃｔ１００１、Ｎｏ）、読取制御部１１１は、読取処理を制御する（Ａｃｔ１００２）。Ａｃｔ１００２では、読取制御部１１１は、収容室１０１２ａ、２０１２ａ内の全ての商品に付されているＲＦＩＤタグから情報を読み取るように制御する。リーダライタ１０１６は、アンテナ１０１５、２０１５を介して、ＲＦＩＤタグから価格情報及び、このＲＦＩＤタグを識別する識別情報を読み取る。読取制御部１１１が読取処理を開始する時は、例えば客が入力部１３で読取処理の開始を入力した時である。
【００６０】
次に、制御部１１は、リーダライタ１０１６で読み取られた情報に基づいて、商品情報を表示部１０７に表示するように制御する（Ａｃｔ１００３）。例えば、商品情報は、商品名、商品の数量、各商品の価格及び合計額などである。客は、商品情報を表示部１０７で確認することができる。
【００６１】
次に、決済処理部１１２は、決済処理を行う（Ａｃｔ１００４）。決済処理部１１２が決済処理を開始する時は、例えば客が入力部１３で決済方法を選択し、決済処理の開始を入力した時である。決済処理が終了していない場合（Ａｃｔ１００４、Ｎｏ）、決済処理部１１２は、決済処理を継続する。決済処理が終了した場合（Ａｃｔ１００４、Ｙｅｓ）、制御部１１は、識別情報をホストコンピュータ３へ送信するように制御する（Ａｃｔ１００５）。Ａｃｔ１００５では、送信部１９ａは、ＰＯＳ装置１による決済処理が済んだ商品に付されているＲＦＩＤタグに記憶されている識別情報をホストコンピュータ３へ送信する。つまり、送信部１９ａがホストコンピュータ３送信する識別情報は、決済処理済みの商品に対応する識別情報である。制御部１１は、Ａｃｔ１００５の処理に後に一連の処理を終了する。客は、収容室１０１２ａ、２０１２ａから取り出した商品を持ってＰＯＳ装置１から離れることができる。なお、制御部１１は、収容室１０１２ａからの商品の取出しを促す情報を表示部１０７に表示するように制御してもよい。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…ＰＯＳ装置、３…ホストコンピュータ、１１…制御部、１２…記憶部、１３…入力部、１４…カード読取部、１５…硬貨投入処理部、１６…紙幣入出処理部、１７…硬貨排出処理部、１８…プリンタ、１９…通信部、１９ａ…送信部、１９ｂ…受信部、３１…制御部、３２…記憶部、３３…通信部、３３ａ…送信部、３３ｂ…受信部、１０１…第１の読取装置、１０２…カード挿入口、１０３…レシート発行口、１０４…紙幣入出口、１０５…硬貨投入口、１０６…硬貨取出口、１０７…表示部、１１１…読取制御部、１１２…決済処理部、３０１…商品、３０２…カゴ、３０３…ＲＦＩＤタグ、１０１１…載置台、１０１１ａ…載置面、１０１１ｂ…面、１０１２…筐体、１０１２ａ…収容室、１０１２ｂ…第１の内面、１０１２ｃ…開口部、１０１３…蓋体、１０１３ａ…第２の内面、１０１４…検出部、１０１５…アンテナ、１０１６…リーダライタ、２０１…第２の読取装置、２０１１…載置台、２０１１ａ…載置面、２０１１ｂ…面、２０１２…筐体、２０１２ａ…収容室、２０１２ｂ…第１の内面、２０１２ｃ…開口部、２０１３…蓋体、２０１３ａ…第２の内面、２０１４…検出部、２０１５…アンテナ。
【図１】
2017228138.tif 000003
【図２】
2017228138.tif 000004
【図３】
2017228138.tif 000005
【図４】
2017228138.tif 000006
【図５】
2017228138.tif 000007
【図６】
2017228138.tif 000008
【図７】
2017228138.tif 000009
【図８】
2017228138.tif 000010
【図９】
2017228138.tif 000011
【図１０】
2017228138.tif 000012
【図１１】
2017228138.tif 000013
【図１２】
2017228138.tif 000014
【図１３】
2017228138.tif 000015
【図１４】
2017228138.tif 000016